(57)【要約】【課題】間接排水部における排水の停滞を簡便に防止し得る排水ホッパの通気構造およびその取付方法を提供する。【解決手段】下方へ向かって径が小さくなる縮径部２ａと縮径部２ａの上部に縮径部上端と同径筒状の上縁部２ｂとを備え、上方からの排水を受けるよう構成された排水ホッパ２と、縮径部上部の上縁部上端より上に上端が、縮径部２ａの下部から下に下端が位置するよう、排水ホッパ２に対して配置された通気管４とを備える。通気管４は、上端部を排水ホッパ２の上縁部２ｂに取り付ける。【選択図】図１
2020159172.tif 000002
【特許請求の範囲】
【請求項１】
下方へ向かって径が小さくなる縮径部と該縮径部の上部に縮径部上端と同径筒状の上縁部とを備え、上方からの排水を受けるよう構成された排水ホッパと、
前記縮径部上部の上縁部上端より上に上端が、前記縮径部の下部から下に下端が位置するよう、前記排水ホッパに対して配置された通気管と
を備えたことを特徴とする排水ホッパの通気構造。
【請求項２】
前記通気管は、通気管取付具を介して前記排水ホッパに取り付けられていること
を特徴とする請求項１に記載の排水ホッパの通気構造。
【請求項３】
板状の本体部と、
前記通気管を支持する管支持部と、
前記本体部との間に前記排水ホッパの上縁部を挟み込む取付部と
を備えて構成される通気管取付具を備えたことを特徴とする請求項２に記載の排水ホッパの通気構造。
【請求項４】
上流側管の下方に排水口空間を隔てて設置され、下方へ向かって径が小さくなる縮径部を備えた排水ホッパに対し、前記縮径部の上部から上に上端が、前記縮径部の下部から下に下端が位置するよう通気管を取り付けることを特徴とする、排水ホッパの通気構造の取付方法。
【発明の詳細な説明】
【技術分野】
【０００１】
本発明は、間接排水に用いられる排水ホッパに対し、排水機能を確保するために取り付けられる通気構造、およびその取付方法に関する。
【背景技術】
【０００２】
事務所ビル、宿泊施設、商業施設、住居などの建物における建設設備として排水設備が設置される。排水設備では、排水器具から排水が自然落下できるよう排水管に勾配を与えられながら排水を下へ流していく。排水管の途中が詰まると上流からの排水はその部位にたまってさらに逆流し排水器具に到達してその器具内、及び内容物を汚染する。これを防止するため、排水管においては、器具排出口と下流全長を受け持つ排水管とを直結するのではなく、器具の排出口に接続される短い長さの排出管を一度開口して縁を切り、そこからの排水を水受け容器などで改めて受けて下流の排水管に導く、間接排水方式と呼ばれる配管方式が採用される。図５はこのような排水管における間接排水部の一般的な構造を示しており、鉛直方向に沿って伸びる配管（上流側管）１の下方に排水ホッパ２が設けられ、上流側管１の下端から排出される排水を下方で受けるようになっている。
【０００３】
排水ホッパ２は、下方へ向かって径が小さくなる逆円錐状の縮径部２ａと、該縮径部２ａの上端から上に突出する上縁部２ｂを備えており、上方の上流側管１から排出される排水を上縁部２ｂの広い開口面積で受け、下方の縮径部２ａで径方向中心に集めて下流へ流すようになっていて、水受け容器の役割も持っている。排水ホッパ２の下側の端部は、下流側の配管（下流側管）３に接続されており、排水ホッパ２で受けた排水が下流側管３へ流れるようになっている。
【０００４】
このような間接排水部は、排水管路の一部に設けられた開口であり、排水管はこの間接排水部において一旦縁切りされ、大気に開放される。排水管に詰まりが生じた場合、その部分から上流側に排水が溜まると逆流が起こるが、ここで仮に排水管の全体が間接排水部等の開口を設けることなく直接連結されていると、逆流した排水は最上流の器具に溢れ出してしまう。しかし、排水管路の途中に、図５に示す如き間接排水部が設けられていれば、逆流した排水は前記間接排水部にて排水管路の外へ溢れ出すことになり、最上流部の器具が汚染される心配はない。また、間接排水部は大気圧に開放されているので最上流部の器具にトラップがあっても、間接排水部の直下にトラップを設けてもよく、この構成の場合には、ガスや虫等が下流側から排水管を伝ってきても、最上流部の器具はおろか、間接排水部でも到達することも防止することができる。
【０００５】
尚、上流側管１の下端部と、上流側管１からの排水を受ける排水ホッパ２との間の鉛直方向の距離を排水口空間といい、この排水口空間として必要な高さは、排水管を構成する配管（上流側管１や下流側管３）の管径を基準に決定される。例えば、排水管径が２５ｍｍ以下の場合は最低５０ｍｍ以上、排水管径が３０〜５０ｍｍの場合は最低１００ｍｍ以上、排水管径が６５ｍｍ以上の場合は最低１５０ｍｍ以上の排水口空間が必要とされる。この排水口空間があることで、最上流の器具における負圧発生においても吸い上げを防止することができ、さらに間接排水部直下のトラップが破封した場合でも、下水ガスを十分拡散させて器具側への侵入危険性を減ずることができる。
【０００６】
この種の排水ホッパに関連する先行技術文献としては、例えば、下記の特許文献１等がある。
【先行技術文献】
【特許文献】
【０００７】
【特許文献１】特開２００５−２６２４号公報
【発明の概要】
【発明が解決しようとする課題】
【０００８】
ところで、上述の如き間接排水部においては、上流側管１から流出する排水の量が多い場合に、上流側の器具の排出管が鉛直方向下向きであり、その中に重力加速された管内壁での排水流れが形成されたのに、排水が排水ホッパ２に突入する際、間接接続部である排水ホッパ２下部のトラップ上の空気により排水の流下にブレーキが掛かり、排水が滞ってしまう場合がある。排水ホッパ２では、上縁部２ｂの広い開口で受けた排水を縮径部２ａで集め、下流側へ流すわけであるが、排水ホッパ２の下部には前述のように臭気ガスや虫の侵入防止のために必須のトラップが設けられていて、トラップ封水の上に空気が溜まっている。
【０００９】
器具の排出管から落下してきた最初の排水は、排水ホッパ２の下方の縮径部２ａにも当たらずに下流側管３に流れ込んだとしてもその下方の静置水であるトラップ封水で流速を落とされ、落下分をトラップ封水の最後流から押し出すのに時間差が生じる。このため元来排水ホッパ２では水が溜まりやすい状態になるが、ここである程度以上の流量の排水が排水ホッパ２に一度に流れ込むと、トラップ封水の水面が波立って波がしらが下流側管３の飲込み部に排水の層を作り、流路の一部断面が排水によって塞がってしまう。排水ホッパ２の下流側にある空気にとっては、排水管路の間接排水部からの出口が塞がれた形である。そして、排水の層ができてしまうとその上に排水が溜まってくる状態になるが、上方から流れ込む排水の圧力に対し、出口を塞がれた空気の圧力が下流側管の飲込み部内径に拡がって飲込み部内の排水流れの形成に抵抗することで、排水が下流側へ流れにくくなってしまう。このような状態は、いずれ空気が気泡となり、排水の層を通って縮径部２ａから上方へ抜け出すことで解除され得るが、上述の状態が一時的にせよ（あるいは断続的に）生じれば、排水の停滞によって排水ホッパ２の上部開口から排水が溢れ出してしまう可能性がある。この状況は一過性ではなく、排水ホッパ２の下部にトラップがあり、トラップから排水管下流へ封水の一部があふれ出すことと引き換えに、排水ホッパ２とトラップの間に空気がまた供給されるので、一度空気が気泡になって排水ホッパ２の上方に抜けても、また同じ状況が繰り返される。
【００１０】
こうした間接排水部を改修工事などで設ける場合において、上述の如き排水の停滞が発生することが予測される場合の対応策としては、従来、排水ホッパ２や下流側管３といった配管類を径の大きな部品に交換することが行われている。
【００１１】
このような配管部品の交換手順を図６に示す。まず、間接排水部の下流側を構成する既設の部品（排水ホッパ２や下流側管３等）を取り外す（ステップＳ１）。次に、配管部品が設置されていた部分の周囲に斫りやコア抜きを施し、配管設置部分の周囲を広げる（ステップＳ２）。その後、もとの配管部品より径の大きい配管部品を設置する（ステップＳ３）。
【００１２】
しかしながら、斫りやコア抜きといった作業には手間がかかり、これが工期の遅延や費用の高騰を招いてしまっていた。
【００１３】
本発明は、斯かる実情に鑑み、間接排水部における排水の停滞を簡便に防止し得る排水ホッパの通気構造およびその取付方法を提供しようとするものである。
【課題を解決するための手段】
【００１４】
本発明は、下方へ向かって径が小さくなる縮径部と該縮径部の上部に縮径部上端と同径筒状の上縁部とを備え、上方からの排水を受けるよう構成された排水ホッパと、前記縮径部上部の上縁部上端より上に上端が、前記縮径部の下部から下端が位置するよう、前記排水ホッパに対して配置された通気管とを備えたことを特徴とする排水ホッパの通気構造にかかるものである。
【００１５】
本発明の排水ホッパの通気構造において、前記通気管は、通気管取付具を介して前記排水ホッパに取り付けられた構成とすることができる。
【００１６】
本発明の排水ホッパの通気構造は、板状の本体部と、前記通気管を支持する管支持部と、前記本体部との間に前記排水ホッパの上縁部を挟み込む取付部とを備えて構成される通気管取付具を備えることができる。
【００１７】
また、本発明は、上流側管の下方に排水口空間を隔てて設置され、下方へ向かって径が小さくなる縮径部を備えた排水ホッパに対し、前記縮径部の上部から上に上端が、前記縮径部の下部から下に下端が位置するよう通気管を取り付けることを特徴とする、排水ホッパの通気構造の取付方法にかかるものである。
【発明の効果】
【００１８】
本発明の排水ホッパの通気構造およびその取付方法によれば、間接排水部における排水の停滞を簡便に防止し得るという優れた効果を奏し得る。
【図面の簡単な説明】
【００１９】
【図１】本発明の実施による排水ホッパの通気構造の一例を示す斜視図である。
【図２】本発明の実施による排水ホッパの通気構造の一例を示す断面図である。
【図３】本発明の実施に用いる通気管取付具の形態の一例を示す斜視図である。
【図４】本発明の実施による排水ホッパの通気構造の取付方法の手順の一例を説明するフローチャートである。
【図５】従来の排水管における排水ホッパの周辺の構造を示す断面図である。
【図６】従来における排水ホッパの交換作業の手順の一例を説明するフローチャートである。
【発明を実施するための形態】
【００２０】
以下、本発明の実施の形態を添付図面を参照して説明する。
【００２１】
図１、図２は本発明の実施による排水ホッパの通気構造の形態の一例を示しており、図中、図５と同一の符号を付した部分は同一物を表している。基本的な構成は図５に示す従来例と同様であり、鉛直方向に沿って伸びる上流側管１の下方に排水口空間を隔てて排水ホッパ２が設けられ、上流側管１の下端から排出される排水を下方で受けるようになっている。排水ホッパ２は、下方へ向かって径が小さくなる逆円錐状の縮径部２ａと、該縮径部２ａの上端から上へ突出する上縁部２ｂを備えている。排水ホッパ２の下側の端部は、下流側の配管（下流側管）３に接続されている。この下流側管３は、上流管端に、封水を設けるトラップを備え、トラップの構成には、図１、図２のように下流側管３を水平方向へ取り廻せるＰ型トラップがある。図ではＰ型だが、下流側管３を鉛直下側へ取り廻せるＳ型トラップであってももちろん良い。
【００２２】
本実施例では、排水ホッパ２の内側に形成される排水の流路に対し、上下方向に沿って通気管４を取り付けている点を特徴としている。通気管４は、上端が縮径部２ａ上部の上縁部２ｂ上端部からさらに上に、下端が縮径部２ａの下部から下に位置するように排水ホッパ２に対して取り付けられる。本実施例の場合、通気管４は、下端部が縮径部２ａの下端より下方の、下流側管３のトラップ部の上部まで突出するように取り付けられている。
【００２３】
通気管４は、両端の位置が上述の如く設定されている限りにおいてどのように取り付けてもかまわないが、例えば図１、図２に示す如く、上端部を排水ホッパ２の上縁部２ｂに取り付けるようにすると良い。通気管４が柔軟性を有する素材により構成されている場合、図２に示す如く、上端を排水ホッパ２の上縁部２ｂの周における一部分に取り付けられた通気管４は、排水ホッパ２の途中の縮径部２ａにて屈曲し、下端が排水ホッパ２の中心軸を挟んで反対側の位置にて下方へ突出する形で配置されることになる。
【００２４】
通気管４は、排水ホッパ２に対し、例えば図３に示す如き通気管取付具５を介して取り付けられる。本実施例の通気管取付具５は、板状の本体部５ａの表面と裏面に、通気管４を支持するための管支持部５ｂと、通気管取付具５の全体を排水ホッパ２に取り付けるための取付部５ｃをそれぞれ備えて構成される。板状の本体部５ａは、排水ホッパ２の上縁部２ｂのなす形状に沿う曲面をなしている。すなわち、円筒面をなす排水ホッパ２の上縁部２ｂに対し、通気管取付具５の本体部５ａを円筒面の一部をなす曲面状に形成することで、通気管取付具５の全体を上縁部２ｂのなす面に沿って設置できるようにしている。
【００２５】
本体部５ａのなす円筒面の内側にあたる表面には、管支持部５ｂが形成されている。管支持部５ｂは、本体部５ａとの間に通気管４を通せる程度の隙間を有しており、通気管４の上端部を挟み込んで支持できるようになっている。
【００２６】
本体部５ａのなす円筒面の外側にあたる裏面には、取付部５ｃが設けられている。取付部５ｃは、本体部５ａとの間に排水ホッパ２の上縁部２ｂを挟み込むクリップ状の部材である。
【００２７】
そして、管支持部５ｂにて通気管４の上端を支持すると共に、取付部５ｃにより排水ホッパ２の上縁部２ｂに対し通気管取付具５を取り付けることにより、通気管４を図１、図２に示す如く排水ホッパ２に対して簡便に取り付けることができる。尚、ここに説明した通気管取付具５の形態は、特に簡単な構成により通気管４の取り付けを可能にし得る一例であって、通気管４を排水ホッパ２に対して好適に取り付けることができる限りにおいて、通気管取付具としては適宜の構成を採用することができる。
【００２８】
このように排水ホッパ２に通気管４を取り付けると、上方の上流側管１から排水ホッパ２へある程度以上の排水が流入してきたときに、排水がトラップ封水の水面が波立って波がしらが下流側管３の飲込み部に排水の層を作り、流路の一部断面が空気の塊によって塞がれるのを、通気管４によって空気の塊の逃げ道を確保することで圧力を逃がし、排水の停滞を回避することができる。すなわち、上流側管１から排水ホッパ２へ多量の排水が流れ込んだ場合、上述の如く縮径部２ａで排水が集められ、排水の層が形成されるが、ここで排水ホッパ２に通気管４が設けられていれば、該通気管４により前記排水の層が上下に貫通された形となる。前記排水の層の下にある空気にとっては、前記排水の層の上側の空間との間を連通する通路が通気管４によって確保される形である。これにより、前記排水の層の下側の空気の圧力は上側に抜け、縮径部２ａに集められた排水は空気の圧力による抵抗を受けることなく、下流の下流側管３へスムーズに流れていくことになる。これにより、排水ホッパ２内の排水は流れ落ち、トラップの封水が押し出されて封水は水が入れ替わりながら同じ水位を保つ。その際に、通気管４を通ってトラップ上に空気が供給されることにもなり、封水の保持に有効である。
【００２９】
尚、本実施例ではこのような通気管４を排水ホッパ２に設けるにあたり、上述の如く、通気管４の上端部を排水ホッパ２の上縁部２ｂに取り付けるようにしている。このようにすると、取り付けにあたり、排水ホッパ２の最上端部に対して簡単な作業を行えば済むので、取付作業が簡便であるほか、通気管４により形成される空気の流路が塞がりにくいという利点もある。すなわち、通気管４の上端が上流側管１の中心軸から径方向外側へ離れた位置に置かれることになるので、上流側管１から排出される排水が通気管４の上端から通気管４の内部へ入り込みにくいのである。
【００３０】
通気管取付具５による通気管４の取り付けの手順を、図４にフローチャートとして示す。本実施例の如き通気構造を間接排水部に設置しようとする場合、図５、図６に示した従来例とは異なり、斫りやコア抜きといった大掛かりな作業は不要である。すなわち、排水ホッパ２に通気管取付具５を取り付けるステップＳ１１と、通気管取付具５に通気管４を図１、図２に示す如く取り付けるステップＳ１２というごく簡単な作業により、上述の如き通気管４による通気構造を排水ホッパ２に設置することができる。尚、ここでは説明の便宜からステップＳ１１の後にステップＳ１２を説明したが、両ステップは順番を入れ替えてもよい。
【００３１】
以上のように、上記本実施例の排水ホッパの通気構造は、下方へ向かって径が小さくなる縮径部２ａと縮径部２ａの上部に縮径部上端と同径筒状の上縁部２ｂとを備え、上方からの排水を受けるよう構成された排水ホッパ２と、縮径部上部の上縁部上端より上に上端が、縮径部２ａの下部から下に下端が位置するよう、排水ホッパ２に対して配置された通気管４とを備えている。このようにすれば、上流側管１から排水ホッパ２へ排水が流入してきたときに、通気管４によって空気の通り道を確保することで圧力を逃がし、排水の停滞を回避することができる。
【００３２】
また、本実施例の排水ホッパの通気構造において、通気管４は、上端部を排水ホッパ２の上縁部２ｂに取り付けられた構成としている。このようにすれば、通気管４の取り付けにあたって作業が簡便であるほか、通気管４により形成される空気の流路を塞がりにくくすることができる。
【００３３】
また、本実施例の排水ホッパの通気構造において、通気管４は、通気管取付具５を介して排水ホッパ２に取り付けられている。このようにすれば、通気管４を排水ホッパ２に対して簡便に取り付けることができる。
【００３４】
また、本実施例の排水ホッパの通気構造は、板状の本体部５ａと、通気管４を支持する管支持部５ｂと、本体部５ａとの間に排水ホッパ２の上縁部２ｂを挟み込む取付部５ｃとを備えて構成される通気管取付具５を備えている。このようにすれば、特に簡単な構成の通気管取付具５により、通気管４を排水ホッパ２に対し簡便に取り付けることができる。
【００３５】
また、本実施例の排水ホッパの通気構造の取付方法においては、上流側管１の下方に排水口空間を隔てて設置され、下方へ向かって径が小さくなる縮径部２ａを備えた排水ホッパ２に対し、縮径部２ａの上部から上に上端が、縮径部２ａの下部から下に下端が位置するよう通気管４を取り付けるようにしている。このようにすれば、簡単な作業により排水ホッパ２に通気管４を設置し、上流側管１から排水ホッパ２へ排水が流入してきたときに通気管４によって空気の通り道を確保することで圧力を逃がし、排水の停滞を回避することができる。
【００３６】
したがって、上記本実施例によれば、間接排水部における排水の停滞を簡便に防止し得る。
【００３７】
尚、本発明の排水ホッパの通気構造およびその取付方法は、上述の実施例にのみ限定されるものではなく、本発明の要旨を逸脱しない範囲内において種々変更を加え得ることは勿論である。
【符号の説明】
【００３８】
１    上流側管
２    排水ホッパ
２ａ  縮径部
２ｂ  上縁部
４    通気管
５    通気管取付具
５ａ  本体部
５ｂ  管支持部
５ｃ  取付部
【図１】
2020159172.tif 000003
【図２】
2020159172.tif 000004
【図３】
2020159172.tif 000005
【図４】
2020159172.tif 000006
【図５】
2020159172.tif 000007
【図６】
2020159172.tif 000008